(57)【特許請求の範囲】
【請求項１】
金属シートによって形成された芯材を収納する中空部、及びその周囲のフランジ部を含む１以上の真空断熱パネルと、前記真空断熱パネルの前記フランジ部が嵌り込む溝部を有する１以上の枠体とを組み合わせた断熱構造体を躯体に取り付ける方法であって、以下の工程を含む方法：
第１の前記枠体を、前記躯体に取り付ける工程、
前記真空断熱パネルの前記フランジ部を、前記第１の枠体の前記溝部に嵌め込む工程、及び
第２の前記枠体を前記躯体に取り付け、かつ前記第１の枠体の溝部に嵌め込まれていない前記フランジ部を、前記第２の枠体の溝部に嵌め込む工程。
【請求項２】
前記金属シートはステンレスシートであり、前記枠体は木材、プラスチック、発砲系断熱材、無機繊維系断熱材のいずれかであることを特徴とする、請求項１に記載の方法。
【発明の詳細な説明】
【技術分野】
【０００１】
本発明は、真空断熱パネルと枠体とを組み合わせた断熱構造体に関する。
【背景技術】
【０００２】
内部を空間としたパネル内にグラスウールの繊維同士を結合させた芯材を入れ、この状態でパネル内を真空にすることで断熱効果を高めた真空断熱材が知られている。
【０００３】
前記パネルとしては特許文献１に開示されるように、樹脂フィルムや樹脂板、或いは金属箔と樹脂フィルムの積層構造フィルムを用いるのが一般的である。この特許文献１に開示される真空断熱パネルは図５（ａ）に示すように、２枚の板材５０,５０を貼り合わせてパネルとしている。そのため、周囲にはフランジ部５１が形成されている。
真空断熱パネルのケースの材料を特許文献１のように樹脂とした場合には、特許文献２或いは図５（ｂ）に示すように、フランジ部を設けない形状とすることも可能である。
【先行技術文献】
【特許文献】
【０００４】
【特許文献１】特開２００７−５６９０３号公報
【特許文献２】特許第３７１２１２９号公報
【発明の概要】
【発明が解決しようとする課題】
【０００５】
真空断熱材において問題となるのは、樹脂フィルムや積層フィルムなどのパネル（外皮）を透過して、ガスがパネル内側の真空空間に侵入し、内部圧が上がって真空度が下がり断熱効果が悪化することである。
【０００６】
ガスの透過性の観点からは、樹脂よりもステンレスやアルミなどの金属の方がガスを透過しにくい。しかしながら、金属シートにてパネルを構成する場合には２枚の金属シートの周囲を貼り合わせることになるので、必然的にフランジ部が形成されることになる。このフランジ部の部分は真空の空間がないため、断熱効果が悪くなる。
【課題を解決するための手段】
【０００７】
上記の課題を解決するため本発明に係る断熱構造体は、真空断熱パネルと断熱性を有する枠体とを組み合わせてなり、前記真空断熱パネルは２枚のステンレスなどの金属シートを溶接などの手段で貼り合わせることで、芯材を収納する中空部とその周囲のフランジ部が形成され、前記枠体は木材、プラスチック、発泡系断熱材、無機繊維系断熱材などからなるとともに、壁などの躯体に取り付けられまた前記フランジ部が嵌り込む溝部が形成された構造である。
【０００８】
また、枠体を横メンバと縦メンバに分割することで、真空断熱パネルの継ぎ足しが可能となり、必要な部分に真空断熱パネルを取り付けることができる。
【発明の効果】
【０００９】
本発明に係る断熱構造体によれば、ガスが透過しにくい金属シートによってパネルを形成した場合に問題になる断熱構造体のフランジ部での断熱効果の低下を効果的に防ぐことができる。
【図面の簡単な説明】
【００１０】
【図１】本発明に係る断熱構造体の正面図
【図２】図１のＡ−Ａ方向矢視図
【図３】図２の要部拡大断面図
【図４】真空断熱パネルの別実施例を示す図
【図５】（ａ）及び（ｂ）は従来の断熱構造を示す図
【発明を実施するための形態】
【００１１】
以下に本発明の実施例を添付図面に基づいて説明する。本発明に係る断熱構造体は、真空断熱パネル１とこの真空断熱パネル１を壁などの躯体２に取り付ける断熱性の枠体３から構成される。
【００１２】
前記真空断熱パネル１はケース１１と芯材１２からなり、ケース１１は２枚の金属シート、例えばステンレスシート１１ａを貼り合わせることで、周囲にフランジ部１１ｂを形成している。尚、ケース１１を構成する材料としてはステンレスに限らずアルミシート等他の金属シート、或いは金属シートと樹脂シートとの積層体でもよい。
【００１３】
フランジ部１１ｂの形状としては、２枚の金属シートを単に貼り合わせたものに限らず、図４に示すように、ヘミング加工によって折り返した形状でもよい。
【００１４】
またケース１１の真空引きされた空間内に収納される芯材１２はグラスウール繊維の交差部がフェノール樹脂や水ガラス等を接着剤として互いに接着した三次元構造をしている。このためケース１１が減圧された状態でもケースの形状維持が芯材によって図られる。
【００１５】
前記枠体３の材料としては、断熱性に優れたものであればよく、例えば木材、プラスチック、発泡系断熱材、無機繊維系断熱材などが考えられる。
【００１６】
前記枠体３は横メンバ３１,３２と縦メンバ３３,３４から構成される。この実施例にあっては、横メンバ３１の上辺に前記ケースのフランジ部１１ｂが嵌り込む溝部３１ａが形成され、横メンバ３２の上辺と下辺にも同様に溝部３２ａ、３２ｂが形成され、縦メンバ３３,３４の一方の側辺にも溝部３３ａ、３４ａが形成されている。
【００１７】
前記溝部の形状は全て同一であり、ケース１１周縁のフランジ部１１ａはどの溝部にも嵌り込む。また溝部の開口周辺は真空断熱パネル１を安定して保持するためテーパ面３１ｂとされている。
【００１８】
また前記横メンバ３１,３２はビス３５を介して躯体２に取り付けられる。
取り付けの手順は、先ず躯体２に横メンバ３１を取り付け、この横メンバ３１の溝部３１ａに真空断熱パネル１の下辺のフランジ部１１ａを挿入する。次いで、真空断熱パネル１の左右の側辺のフランジ部１１ａに縦メンバ３３,３４の溝部３３ａ、３４ａを嵌め込む。この後、真空断熱パネル１の上辺のフランジ部１１ａに横メンバ３２の下辺に形成した溝部３２ａを嵌め込み、この状態でビス３５を用いて横メンバ３２を躯体２に固定する。
【００１９】
以上の作業で１つの真空断熱パネル１が枠体を介して躯体２に固定されたことになるが、真空断熱パネル１を連続して多数固定する場合には、上記の操作を繰り返す。尚、図では上下方向に真空断熱パネル１を継ぎ足すことができる例をしめしたが、横方向に継ぎ足すには縦メンバ３３,３４の一方を横メンバ３２と同様に両側辺に溝部を有するメンバを用いればよい。
【００２０】
真空断熱パネル１のフランジ部１１ａの部分は、厚み方向において真空部が存在しないため断熱効果におとる。しかしながら枠体３を構成する各メンバの溝部に前記フランジ部１１ａを挿入することで、真空による断熱効果よりは劣るが、従来に比較すると大幅な断熱効果の向上が認められる。
【産業上の利用可能性】
【００２１】
本発明に係る断熱構造は、建造物の断熱の他に家電製品、自動車、航空機など広い分野で利用できる。
【符号の説明】
【００２２】
１…真空断熱パネル、２…躯体、３…断熱性の枠体、１１…ケース、１１ａ…ステンレスシート、１１ｂ…フランジ部、１２…芯材、３１,３２…枠体の横メンバ、３３,３４…枠体の縦メンバ、３１ａ、３２ａ、３３ａ、３４ａ…溝部、３１ｂ…テーパ面、３５…ビス。
【図１】
0005677108.tif 000002
【図２】
0005677108.tif 000003
【図３】
0005677108.tif 000004
【図４】
0005677108.tif 000005
【図５】
0005677108.tif 000006